(57)【要約】【課題】バッテリセービングの観点から適切なＤＲＸ制御を実現する。【解決手段】本発明に係る移動局ＵＥは、複数の測定対象セル＃１〜＃６の全てにおける下りリンクの無線品質が所定閾値を下回った場合に、ＲＬＦを検出するように構成されている制御部１３を具備する。【選択図】図４
2014131229.tif 000002
【特許請求の範囲】
【請求項１】
複数の測定対象セルの全てにおける下りリンクの無線品質が所定閾値を下回った場合に、無線リンク障害を検出するように構成されている制御部を具備することを特徴とする移動局。
【請求項２】
前記測定対象セルは、無線基地局によって通知されるように構成されていることを特徴とする請求項１に記載の移動局。
【請求項３】
前記所定閾値は、セルごとに異なるように構成されていることを特徴とする請求項１又は２に記載の移動局。
【請求項４】
前記制御部は、前記移動局が間欠受信状態である場合で、かつ、前記複数の測定対象セルの全てにおける下りリンクの無線品質が所定閾値を下回った場合にのみ、前記無線リンク障害を検出するように構成されていることを特徴とする請求項１乃至３のいずれか一項に記載の移動局。
【請求項５】
間欠受信状態の移動局が、無線基地局との間で、ランダムアクセス手順を開始する工程と、
前記無線基地局が、前記移動局の測定対象セルを管理する無線基地局から、該移動局のコンテキスト情報を取得する工程とを有することを特徴とする移動通信方法。
【請求項６】
前記無線基地局が、前記移動局の測定対象セルの全てにおいて、ページング信号を送信することによって、該移動局に対して前記ランダムアクセス手順を開始させる工程を有することを特徴とする請求項５に記載の移動通信方法。
【請求項７】
無線基地局に対して、同時に下りリンク信号の監視を行うことができる測定対象セルの数について通知するように構成されている送信部を具備することを特徴とする移動局。
【請求項８】
前記送信部は、周波数バンドごとに、前記測定対象セルの数について通知するように構成されていることを特徴とする請求項７に記載の移動局。
【請求項９】
前記送信部は、無線機能部ごとに、前記測定対象セルの数について通知するように構成されていることを特徴とする請求項７に記載の移動局。
【発明の詳細な説明】
【技術分野】
【０００１】
本発明は、移動局及び移動通信方法に関する。
【背景技術】
【０００２】
ＬＴＥ（Ｌｏｎｇ  Ｔｅｒｍ  Ｅｖｏｌｕｔｉｏｎ）方式及びＬＴＥ-Ａｄｖａｎｃｅｄ方式では、移動局ＵＥのバッテリセービングを目的に、「ＲＲＣ_Ｃｏｎｎｅｃｔｅｄ状態」の移動局ＵＥをＤＲＸ（Ｄｉｓｃｏｎｔｉｕｏｕｓ  Ｒｅｃｅｐｔｉｏｎ）状態に遷移させる制御を行うことができるように規定されている。
【０００３】
具体的には、ＤＲＸ状態の移動局ＵＥは、Ａｃｔｉｖｅ状態とＩｎａｃｔｉｖｅ状態との間を遷移するように構成されている。
【０００４】
ここで、Ａｃｔｉｖｅ状態の移動局ＵＥは、ＰＤＣＣＨ（物理下りリンク制御チャネル）を監視し、無線基地局ｅＮＢに対して、フィードバック情報、例えば、ＣＱＩ（Ｃｈａｎｎｅｌ  Ｑｕａｌｉｔｙ  Ｉｎｄｉｃａｔｏｒ）やＰＭＩ（Ｐｒｅｃｏｄｉｎｇ  Ｍａｔｒｉｘ  Ｉｎｄｅｘ）やＲＩ（Ｒａｎｋ  Ｉｎｄｉｃａｔｏｒ）やＰＴＩ（Ｐｒｅｃｏｄｉｎｇ  Ｔｙｐｅ  Ｉｎｄｉｃａｔｏｒ）等を報告するように構成されている。
【０００５】
一方、Ｉｎａｃｔｉｖｅ状態の移動局ＵＥは、ＰＤＣＣＨを監視せず、無線基地局ｅＮＢに対して、フィードバック情報を報告しないように構成されているため、移動局ＵＥのバッテリセービングを実現することができる。
【０００６】
以下のいずれかのケースにおいて、移動局ＵＥは、Ａｃｔｉｖｅ状態となり、それ以外のケースにおいて、移動局ＵＥは、Ｉｎａｃｔｉｖｅ状態となる。
【０００７】
-  「Ｏｎ  ｄｕｒａｔｉｏｎ  ｔｉｍｅｒ」、「ｄｒｘ-ＩｎａｃｔｉｖｉｔｙＴｉｍｅｒ」、「ｄｒｘ-ＲｅｔｒａｎｓｍｉｓｓｉｏｎＴｉｍｅｒ」及び「ｍａｃ-ｃｏｎｔｅｎｓｉｏｎＲｅｓｏｌｕｔｉｏｎＴｉｍｅｒ」のいずれかが起動しているケース
-  スケジュール要求（Ｓｃｈｅｄｕｌｉｎｇ  Ｒｅｑｕｅｓｔ）を送信したケース
-  上りリンクにおけるＨＡＲＱ（Ｈｙｂｒｉｄ  ＡＲＱ）再送のための「ＵＬ  ｇｒａｎｔ」が割り当てられるケース
-  ランダムアクセス応答（Ｒａｎｄｏｍ  Ａｃｃｅｓｓ  Ｒｅｓｕｐｏｎｓｅ）を受信した後、ＰＤＣＣＨを介して、新規送信を指示する下りリンク制御信号を受信していないケース
図７（ａ）及び図７（ｂ）に、ＤＲＸ状態に遷移するように設定されている移動局ＵＥの動作を示す。
【０００８】
また、ＬＴＥ方式では、移動局ＵＥは、常に、ネットワークからの指示に従うべき、すなわち、下りリンク（ＤＬ）信号が届くことを担保すべきであり、そのために、移動局ＵＥは、下りリンク信号の監視（Ｒａｄｉｏ  Ｌｉｎｋ  Ｍｏｎｉｔｏｒｉｎｇ）を行うことが規定されている。
【０００９】
図８に示すように、移動局ＵＥは、下りリンク信号を所定期間受信できない場合には、ＲＬＦ（Ｒａｄｉｏ  Ｌｉｎｋ  Ｆａｉｌｕｒｅ：無線リンク障害）を検出して、以下の動作を行うことが規定されている。
【００１０】
第１に、移動局ＵＥは、ネットワークからの制御が可能であることを担保するために、現時点でのベストセルへの再接続手順を起動する。
【００１１】
第２に、移動局ＵＥは、他セル及び他移動局ＵＥへの干渉を回避するために、全ての上りリンク（ＵＬ）信号の送信を自律的に停止する。
【先行技術文献】
【非特許文献】
【００１２】
【非特許文献１】３ＧＰＰ  ＴＳ３６.３２１
【発明の概要】
【発明が解決しようとする課題】
【００１３】
ＤＲＸ状態の移動局ＵＥは、セルを跨ぐたびに、ハンドオーバ手順を起動し、Ａｃｔｉｖｅ状態に遷移してしまうため、バッテリセービングの観点から好ましくない。
【００１４】
そこで、ＤＲＸ状態の移動局ＵＥが、セルを跨いだ場合であっても、ハンドオーバ手順を起動しないという制御が考えられる。
【００１５】
しかしながら、かかる制御を行うと、ＤＲＸ状態の移動局ＵＥは、図９に示すように、セルを跨いだ場合に、再接続手順を起動してしまい、結局、Ａｃｔｖｅ状態に遷移してしまうという問題点があった。
【００１６】
かかる場合、移動局ＵＥは、無線リンクを再確立する必要があるため、シグナリング負荷や通信再開に係る遅延の観点からも望ましくない。
【００１７】
そこで、本発明は、上述の課題に鑑みてなされたものであり、バッテリセービングの観点から適切なＤＲＸ制御を実現することができる移動局及び移動通信方法を提供することを目的とする。
【課題を解決するための手段】
【００１８】
本発明の第１の特徴は、移動局であって、複数の測定対象セルの全てにおける下りリンクの無線品質が所定閾値を下回った場合に、無線リンク障害を検出するように構成されている制御部を具備することを要旨とする。
【００１９】
本発明の第２の特徴は、移動通信方法であって、間欠受信状態の移動局が、無線基地局との間で、ランダムアクセス手順を開始する工程と、前記無線基地局が、前記移動局の測定対象セルを管理する無線基地局から、該移動局のコンテキスト情報を取得する工程とを有することを要旨とする。
【００２０】
本発明の第３の特徴は、移動局であって、無線基地局に対して、同時に下りリンク信号の監視を行うことができる測定対象セルの数について通知するように構成されている送信部を具備することを要旨とする。
【発明の効果】
【００２１】
以上説明したように、本発明によれば、バッテリセービングの観点から適切なＤＲＸ制御を実現することができる移動局及び移動通信方法を提供することができる。
【図面の簡単な説明】
【００２２】
【図１】本発明の第１の実施形態に係る移動通信システムの全体構成図である。
【図２】本発明の第１の実施形態に係る移動局の機能ブロック図である。
【図３】本発明の第１の実施形態に係る無線基地局の機能ブロック図である。
【図４】本発明の第１の実施形態に係る移動局の動作を示すフローチャートである。
【図５】本発明の変更例１に係る移動通信システムの全体構成図である。
【図６】本発明の変更例１に係る移動通信方法の動作を示すシーケンス図である。
【図７】従来技術を説明するための図である。
【図８】従来技術を説明するための図である。
【図９】従来技術を説明するための図である。
【発明を実施するための形態】
【００２３】
（本発明の第１の実施形態に係る移動通信システム）
図１乃至図４を参照して、本発明の第１の実施形態に係る移動通信システムについて説明する。
【００２４】
本実施形態に係る移動通信システムは、ＬＴＥ方式又はＬＴＥ-Ａｄｖａｎｃｅｄ方式の移動通信システムであって、それぞれセル＃１〜＃６を管理する無線基地局ｅＮＢ＃６等を具備している。
【００２５】
本実施形態に係る移動通信システムでは、移動局ＵＥは、無線基地局ｅＮＢ＃１配下のセル＃１において「ＲＲＣ_Ｃｏｎｎｅｃｔｅｄ状態」であるものとする。また、本実施形態に係る移動通信システムでは、移動局ＵＥは、ＤＲＸ状態であるものとする。
【００２６】
図２に示すように、本実施形態に係る移動局ＵＥは、受信部１１と、測定部１２と、制御部１３と、送信部１４とを具備している。
【００２７】
受信部１１は、無線基地局ｅＮＢ＃１から、各種信号を受信するように構成されている。
【００２８】
具体的には、受信部１１は、無線基地局ｅＮＢ＃１から、ＰＤＳＣＨ（Ｐｈｙｓｉｃａｌ  Ｄｏｗｎｌｉｎｋ  Ｓｈａｒｅｄ  Ｃｈａｎｎｅｌ）やＰＤＣＣＨ（Ｐｈｙｓｉｃａｌ  Ｄｏｗｎｌｉｎｋ  Ｃｏｎｔｒｏｌ  Ｃｈａｎｎｅｌ）やＰＣＨ（Ｐａｇｉｎｇ  Ｃｈａｎｎｅｌ）やＢＣＨ（Ｂｒｏａｄｃａｓｔ  Ｃｈａｎｎｅｌ）等を介して、下りリンク信号を送信するように構成されている。
【００２９】
例えば、受信部１１は、無線基地局ｅＮＢ＃１から、複数の測定対象セル＃１〜＃６を示す情報、例えば、「ＲＲＣ  Ｃｏｎｎｅｃｔｉｏｎ  Ｃｏｎｆｉｇｕｒａｔｉｏｎ」や「ＲＲＣ  Ｃｏｎｎｅｃｔｉｏｎ  Ｒｅｃｏｎｆｉｇｕｒａｔｉｏｎ」等を取得するように構成されている。
【００３０】
測定部１２は、上述の測定対象セル＃１〜＃６における下りリンクの無線品質を測定するように構成されている。
【００３１】
制御部１３は、移動局ＵＥにおける各種制御、例えば、ＤＲＸに関連する制御やＲＬＭに関連する制御やハンドオーバに関連する制御等を行うように構成されている。
【００３２】
例えば、制御部１３は、複数の測定対象セル＃１〜＃６の全てにおける下りリンクの無線品質が所定閾値を下回った場合に、ＲＬＦを検出するように構成されていてよい。
【００３３】
ここで、上述の所定閾値は、セル＃１〜＃６で共通の値となるように構成されていてもよいし、セルごとに異なるように構成されていてもよい。
【００３４】
なお、制御部１３は、移動局ＵＥがＤＲＸ状態である場合で、かつ、複数の測定対象セル＃１〜＃６の全てにおける下りリンクの無線品質が所定閾値を下回った場合にのみ、ＲＬＦを検出するように構成されていてもよい。
【００３５】
ここで、測定部１２は、「Ｏｎ  ｄｕｒａｔｉｏｎ」において、全ての測定対象セル＃１〜＃６における下りリンクの無線品質を測定するように構成されていてもよいし、かかる測定対象セル＃１〜＃６の一部における下りリンクの無線品質を測定するように構成されていてもよい。
【００３６】
また、制御部１３は、複数の測定対象セル＃１〜＃６のうち、所定数のセルにおける下りリンクの無線品質が所定閾値を下回った場合に、ＲＬＦを検出するように構成されていてよい。
【００３７】
送信部１４は、無線基地局ｅＮＢ＃１に対して、各種信号を送信するように構成されている。
【００３８】
具体的には、送信部１４は、無線基地局ｅＮＢ＃１に対して、ＰＵＳＣＨ（Ｐｈｙｓｉｃａｌ  Ｕｐｌｉｎｋ  Ｓｈａｒｅｄ  Ｃｈａｎｎｅｌ）やＰＵＣＣＨ（Ｐｈｙｓｉｃａｌ  Ｕｐｌｉｎｋ  Ｃｏｎｔｒｏｌ  Ｃｈａｎｎｅｌ）やＲＡＣＨ（Ｒａｎｄｏｍ  Ａｃｃｅｓｓ  Ｃｈａｎｎｅｌ）等を介して、上りリンク信号を送信するように構成されている。
【００３９】
例えば、送信部１４は、無線基地局ｅＮＢ＃１に対して、「Ｍｅａｓｕｒｅｍｅｎｔ  Ｒｅｐｏｒｔ」を送信するように構成されていてもよい。
【００４０】
無線基地局ｅＮＢ＃１〜ｅＮＢ＃６の構成は、基本的に同一であるため、以下、無線基地局ｅＮＢの構成として説明する。図３に示すように、本実施形態に係る無線基地局ｅＮＢは、制御部２１と、管理部２２と、送信部２２と、受信部２４とを具備している。
【００４１】
制御部２１は、無線基地局ｅＮＢにおける各種制御、例えば、ＤＲＸに関連する制御やハンドオーバに関連する制御等を行うように構成されている。
【００４２】
例えば、制御部２１は、移動局ＵＥによって測定対象セル＃２〜＃６に係る「Ｍｅａｓｕｒｅｍｅｎｔ  Ｒｅｐｏｒｔ」が送信された場合であっても、かかる測定対象セル＃２〜＃６に対する移動局ＵＥのハンドオーバを起動しないように構成されている。
【００４３】
管理部２２は、無線基地局ｅＮＢ配下のセルにおいて「ＲＲＣ_Ｃｏｎｎｅｃｔｅｄ状態」の移動局ＵＥに係る各種情報、例えば、測定対象セル＃１〜＃６について管理するように構成されている。
【００４４】
送信部２３は、移動局ＵＥや他の無線基地局ｅＮＢや上位ノードに対して、各種信号を送信するように構成されており、受信部２４は、移動局ＵＥや他の無線基地局ｅＮＢや上位ノード等から、各種信号を受信するように構成されている。
【００４５】
具体的には、送信部２３は、移動局ＵＥに対して、ＰＤＳＣＨやＰＤＣＣＨやＰＣＨやＢＣＨ等を介して、下りリンク信号を送信するように構成されている。
【００４６】
例えば、送信部２３は、移動局ＵＥに対して、「ＲＲＣ  Ｃｏｎｎｅｃｔｉｏｎ  Ｃｏｎｆｉｇｕｒａｔｉｏｎ」や「ＲＲＣ  Ｃｏｎｎｅｃｔｉｏｎ  Ｒｅｃｏｎｆｉｇｕｒａｔｉｏｎ」を用いて、上述の測定対象セル＃１〜＃６について通知するように構成されていてもよい。
【００４７】
なお、無線基地局ｅＮＢは、他の無線基地局ｅＮＢとの間の同期状態に応じて、かかる測定対象セルとして設定すべきセルを決定するように構成されていてもよい。
【００４８】
例えば、無線基地局ｅＮＢは、ある程度、同期の取れている他の無線基地局ｅＮＢ配下のセルを、かかる測定対象セルとして設定するように構成されていてもよい。
【００４９】
また、受信部２４は、移動局ＵＥから、ＰＵＳＣＨやＰＵＣＣＨやＲＡＣＨ（Ｒａｎｄｏｍ  Ａｃｃｅｓｓ  Ｃｈａｎｎｅｌ）等を介して、上りリンク信号を受信するように構成されている。
【００５０】
例えば、受信部２４は、移動局ＵＥから、「Ｍｅａｓｕｒｅｍｅｎｔ  Ｒｅｐｏｒｔ」を受信するように構成されていてもよい。
【００５１】
以下、図４を参照して、本実施形態に係る移動通信システムの動作、具体的には、本実施形態に係る移動局の動作について説明する。
【００５２】
図４に示すように、ステップＳ１０１において、移動局ＵＥは、測定対象セル＃１〜＃６のいずれかにおける下りリンクの無線品質が所定閾値を超えているか否かについて判定する。
【００５３】
「ＹＥＳ」の場合、本動作は、終了し、「ＮＯ」の場合、本動作は、ステップＳ１０２に進む。
【００５４】
ステップＳ１０２において、移動局ＵＥは、ＲＬＦを検出する。
【００５５】
（変更例１）
以下、図５及び図６を参照して、本発明の変更例１に係る移動通信システムについて、上述の第１の実施形態に係る移動通信システムとの相違点に着目して説明する。
【００５６】
図５に示すように、本変更例１に係る移動通信システムは、ＬＴＥ方式又はＬＴＥ-Ａｄｖａｎｃｅｄ方式の移動通信システムであって、それぞれセル＃１〜＃６を管理する無線基地局ｅＮＢ＃８等を具備している。
【００５７】
本変更例１に係る移動通信システムでは、移動局ＵＥは、無線基地局ｅＮＢ＃１配下のセル＃１において「ＲＲＣ_Ｃｏｎｎｅｃｔｅｄ状態」であるものとする。また、本変更例１に係る移動通信システムでは、移動局ＵＥは、ＤＲＸ状態であるものとする。さらに、変更例１に係る移動通信システムでは、移動局ＵＥは、セル＃２のカバーエリア内に存在しているものとする。
【００５８】
以下、図６を参照して、本変更例１に係る移動通信システムの動作について説明する。具体的には、本変更例１に係る移動通信システムにおいて、移動局ＵＥがＤＲＸ状態から復帰する際の動作について説明する。
【００５９】
図６に示すように、ステップＳ１００１において、無線基地局ｅＮＢ＃１が、移動局ＵＥに対して、測定対象セル＃１〜＃６を通知している。
【００６０】
「ＤＬ  ｄａｔａ  ｒｅｓｕｍｉｎｇ」の場合、ステップＳ１００２において、測定対象セル＃１〜＃６を管理する無線基地局ｅＮＢ＃１〜＃６は、移動局ＵＥに対して、移動局ＵＥに対してＲＡ手順を開始させるために、Ｐａｇｉｎｇを送信する。
【００６１】
ステップＳ１００３において、移動局ＵＥは、かかるＰａｇｉｎｇに応じて、無線基地局ｅＮＢ＃２に対して、「ＲＡ  ｐｒｅａｍｂｌｅ」を送信し、ステップＳ１００４において、無線基地局ｅＮＢ＃２は、移動局ＵＥに対して、「ＲＡ  ｒｅｓｐｏｎｓｅ」を送信する。
【００６２】
ステップＳ１００５において、移動局ＵＥは、無線基地局ｅＮＢ＃２に対して、移動局ＵＥの識別子、例えば、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）やＴＭＳＩ（Ｔｅｍｐｏｒａｒｙ  Ｍｏｂｉｌｅ  Ｓｕｂｓｃｒｉｂｅｒ  Ｉｄｅｎｔｉｔｙ）やＣ-ＲＮＴＩ（Ｃｅｌｌ-Ｒａｄｉｏ  Ｎｅｔｗｏｒｋ  Ｔｅｍｐｏｒａｒｙ  Ｉｄｅｎｔｉｆｉｅｒ）等を含むＭｓｇ３を送信する。
【００６３】
無線基地局ｅＮＢ＃２は、かかるＭｓｇ３に応じて、移動局ＵＥを特定し、ステップＳ１００６において、無線基地局ｅＮＢ＃１/ｅＮＢ＃３〜ｅＮＢ＃６に対して、移動局ＵＥの「ＵＥ  ｃｏｎｔｅｘｔ」を要求する「ｃｏｎｔｅｘｔ  ｒｅｑｕｅｓｔ」を送信し、ステップＳ１００７において、無線基地局ｅＮＢ＃１から、移動局ＵＥの「ＵＥ  ｃｏｎｔｅｘｔ」を取得する。
【００６４】
ステップＳ１００８において、移動局ＵＥと無線基地局ｅＮＢ＃２との間で、Ｕ-ｐｌａｎｅが導通される。
【００６５】
なお、「ＵＬ  ｄａｔａ  ｒｅｓｕｍｉｎｇ」の場合、上述のステップＳ１００２の動作が省略される。
【００６６】
（変更例２）
以下、本発明の変更例２に係る移動通信システムについて、上述の第１の実施形態に係る移動通信システムとの相違点に着目して説明する。
【００６７】
本変更例２に係る移動通信システムでは、移動局ＵＥの送信部１４は、無線基地局ｅＮＢ＃１に対して、同時に下りリンク信号の監視を行うことができる測定対象セルの数について通知するように構成されている。
【００６８】
或いは、移動局ＵＥの送信部１４は、ＦＤＤ（Ｆｒｅｑｕｅｎｃｙ  Ｄｉｖｉｓｉｏｎ  Ｄｕｌｐｅｘ）やＴＤＤ（Ｔｉｍｅ  Ｄｉｖｉｓｉｏｎ  Ｄｕｌｐｅｘ）のような多重モード（ｄｕｐｌｅｘ  ｍｏｄｅ）ごとに、かかる通知を行うように構成されていてもよい。
【００６９】
ここで、送信部１４は、周波数バンドごとに、上述の測定対象セルの数について通知するように構成されていてもよい。
【００７０】
或いは、送信部１４は、無線機能部（例えば、ＲＦ）ごとに、上述測定対象セルの数について通知するように構成されていてもよい。
【００７１】
以上に述べた本実施形態の特徴は、以下のように表現されていてもよい。
【００７２】
本実施形態の第１の特徴は、移動局ＵＥであって、複数の測定対象セル＃１〜＃６の全てにおける下りリンクの無線品質が所定閾値を下回った場合に、ＲＬＦ（無線リンク障害）を検出するように構成されている制御部１３を具備することを要旨とする。
【００７３】
かかる構成によれば、ＤＲＸ状態の移動局ＵＥが、測定対象セル＃１〜＃６のカバーエリア内であれば、セルを跨いだ場合であっても、ハンドオーバ手順及び再接続手順を起動しないため、有効なバッテリセービングを実現することができる。
【００７４】
また、かかる構成によれば、ＤＲＸ状態の移動局ＵＥが、測定対象セル＃１〜＃６のカバーエリア内であれば、セルを跨いだ場合に、無駄な無線リンクの再確立を回避することができる。
【００７５】
本実施形態の第１の特徴において、測定対象セル＃１〜＃６は、無線基地局ｅＮＢ＃１によって通知されるように構成されていてもよい。
【００７６】
かかる構成によれば、通信事業者（オペレータ）が、通信環境やオペレータポリシー等を考慮して、測定対象セルを適切に設定することができる。
【００７７】
本実施形態の第１の特徴において、上述の所定閾値は、セルごとに異なるように構成されていてもよい。
【００７８】
かかる構成によれば、通信事業者が、各セルにおける通信環境やオペレータポリシー等を考慮して、上述の所定閾値を適切に設定することができる。
【００７９】
本実施形態の第１の特徴において、制御部１３は、移動局ＵＥがＤＲＸ状態（間欠受信状態）である場合で、かつ、複数の測定対象セル＃１〜＃６の全てにおける下りリンクの無線品質が所定閾値を下回った場合にのみ、ＲＬＦを検出するように構成されていてもよい。
【００８０】
かかる構成によれば、ＤＲＸ状態の移動局ＵＥに対してのみ、かかる制御を行わせることで、通信事業者によるセルプラニングや運用等に対するインパクトを最小限に留めることができる。
【００８１】
本実施形態の第２の特徴は、移動通信方法であって、ＤＲＸ状態の移動局ＵＥが、無線基地局ｅＮＢ＃２との間で、ランダムアクセス手順を開始する工程と、無線基地局ｅＮＢ＃２が、移動局ＵＥの測定対象セル＃１を管理する無線基地局＃１から、移動局ＵＥの「ＵＥ  ｃｏｎｔｅｘｔ（コンテキスト情報）」を取得する工程とを有することを要旨とする。
【００８２】
かかる構成によれば、無線基地局ｅＮＢ＃２が、どのセルに移動局ＵＥがいるかについて分からない場合であっても、移動局ＵＥとの間でＵ-ｐｌａｎｅを導通することができる。
【００８３】
本実施形態の第２の特徴において、無線基地局ｅＮＢ＃２が、移動局ＵＥの測定対象セル＃１〜＃８の全てにおいて、「Ｐａｇｉｎｇ（ページング信号）」を送信することによって、移動局ＵＥに対してランダムアクセス手順を開始させる工程を有してもよい。
【００８４】
かかる構成によれば、適切に「ＤＬ  ｄａｔａ  ｒｅｓｕｍｉｎｇ」を実現することができる。
【００８５】
本実施形態の第３の特徴は、移動局ＵＥであって、無線基地局ｅＮＢに対して、同時に下りリンク信号の監視を行うことができる測定対象セルの数について通知するように構成されている送信部１４を具備することを要旨とする。
【００８６】
かかる構成によれば、無線基地局ｅＮＢが、各移動局ＵＥに対して、適切な数の測定対象セルを設定することができる。
【００８７】
本実施形態の第３の特徴において、送信部１４は、周波数バンドごとに、上述の測定対象セルの数について通知するように構成されていてもよい。
【００８８】
本実施形態の第３の特徴において、送信部１４は、無線機能部ごとに、上述測定対象セルの数について通知するように構成されていてもよい。
【００８９】
これらの構成によれば、無線基地局ｅＮＢが、周波数バンドや無線機能部の状態を考慮して、柔軟に、測定対象セルを設定することができる。
【００９０】
なお、上述の移動局ＵＥや無線基地局ｅＮＢ＃１〜＃８の動作は、ハードウェアによって実施されてもよいし、プロセッサによって実行されるソフトウェアモジュールによって実施されてもよいし、両者の組み合わせによって実施されてもよい。
【００９１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００９２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ＃１〜＃８内に設けられていてもよい。また、かかる記憶媒体及びプロセッサは、ディスクリートコンポーネントとして移動局ＵＥや無線基地局ｅＮＢ＃１〜＃８内に設けられていてもよい。
【００９３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００９４】
ｅＮＢ…無線基地局
ＵＥ…移動局
１１、２４…受信部
１２…測定部
１３、２１…制御部
１４、２３…送信部
２２…管理部
【図１】
2014131229.tif 000003
【図２】
2014131229.tif 000004
【図３】
2014131229.tif 000005
【図４】
2014131229.tif 000006
【図５】
2014131229.tif 000007
【図６】
2014131229.tif 000008
【図７】
2014131229.tif 000009
【図８】
2014131229.tif 000010
【図９】
2014131229.tif 000011